(57)【要約】【課題】本発明の目的は、ケースの形成時に射出成形金型方式の適用が容易であり、ケースの結合力を高めることができるバッテリーパックを提供することにある。【解決手段】バッテリーパックは、複数のバッテリーセルと、前記バッテリーセルと電気的に接続される回路モジュールと、前記バッテリーセルと前記回路モジュールを収納するケースを含み、前記ケースは、開口したボックス状に形成され複数の係合突起が形成された第１ケースと、開口したボックス状に形成され前記第１ケースと結合して前記複数の係合突起が嵌合するように複数の係合孔が形成された第２ケースと、を含む。【選択図】図４
2010073691.tif 000002
【特許請求の範囲】
【請求項１】
複数のバッテリーセルと、
前記複数のバッテリーセルと電気的に接続される回路モジュールと、
前記複数のバッテリーセルと前記回路モジュールを収納するケースと、
を含み、
前記ケースは、
開口したボックス状に形成され、複数の係合突起が形成された第１ケースと、
開口したボックス状に形成され、前記第１ケースと結合して前記複数の係合突起が嵌合するように複数の係合孔が形成された第２ケースと、
を含むバッテリーパック。
【請求項２】
前記複数の係合突起は、前記第１ケースの一面に形成され、
前記第１ケースは前記一面から前記係合突起の突出方向に離隔された領域に形成された構造物をさらに含む請求項１に記載のバッテリーパック。
【請求項３】
前記構造物は、前記複数のバッテリーセルをグループに分け、前記バッテリーセルの流動を防止する固定壁である請求項２に記載のバッテリーパック。
【請求項４】
前記第１ケースの一面と前記構造物との間の離隔距離は、前記第１ケースの一面から突出する係合突起の突出幅の３倍〜１０倍である請求項２〜３のいずれか１項に記載のバッテリーパック。
【請求項５】
前記第１ケースの一面と前記構造物との間の離隔距離は３ｍｍ〜１０ｍｍである請求項２〜４のいずれか１項に記載のバッテリーパック。
【請求項６】
前記複数の係合突起は、前記第１ケースの一面にグループに分けられて形成され、隣接したグループは互いに離隔する請求項１〜５のいずれか１項に記載のバッテリーパック。
【請求項７】
前記構造物は、前記第１ケースの一面中の前記隣接したグループ間の離隔領域に対応するように位置する請求項６に記載のバッテリーパック。
【請求項８】
前記第１ケースは前記複数の係合突起のグループのそれぞれと対応するガイド壁を有し、
前記ガイド壁は、前記第１ケースの一面から前記係合突起の突出方向に延びたガイド延長面と、前記ガイド延長面から折り曲げられて延びたガイド側面と、前記ガイド側面中の前記係合突起と対応する領域に形成されたガイド溝と、を含む請求項６〜７のいずれか１項に記載のバッテリーパック。
【請求項９】
前記第１ケースは、
配置面と、
前記配置面における対向する長辺から折り曲げられて延びた第１長側面と、
前記配置面における対向する短辺から折り曲げられて延び、前記第１長側面を繋ぐ第１短側面を含む第１側面とを含み、
前記複数の係合突起は前記第１長側面中の一長側面にグループ別に分けられて形成される請求項１に記載のバッテリーパック。
【請求項１０】
前記第１ケースは、
前記複数の係合突起のグループのそれぞれと対応するガイド壁と、
前記バッテリーセルをグループ別に分けるように前記配置面で前記第１短側面と平行に延びた構造物をさらに含み、
前記ガイド壁は、前記一長側面から前記係合突起の突出方向に延びたガイド延長面と、前記ガイド延長面から折り曲げられて延びたガイド側面と、前記ガイド側面中の前記係合突起と対応する領域に形成されたガイド溝とを含む請求項９に記載のバッテリーパック。
【請求項１１】
前記第１ケースは、
前記配置面の内側で前記第１長側面中の他長側面および前記第１短側面と平行に延びたリブ面と、
前記リブ面に形成された複数の補助孔と、
前記リブ面を挟んで前記配置面の内側で前記他長側面と平行に延び、前記第１ケースの内部で前記バッテリーセルから前記回路モジュールを分離させるように前記回路モジュールの装着空間を形成する第１分離壁と、
前記他長側面に形成された第１コネクタ露出溝と、をさらに含む請求項９〜１０のいずれかに記載のバッテリーパック。
【請求項１２】
前記第２ケースは、一側に突出部を有し、
前記配置面と対向しメイン面と前記メイン面から折り曲げられて延びた段差面、および前記段差面から折り曲げられ前記メイン面と平行に延びたサブ面を含むカバー面と、
前記カバー面における対向する長辺から折り曲げられて延びた第２長側面と、前記カバー面における対向する短辺から折り曲げられて延びて前記第２長側面を繋ぐ第２短側面を含む第２側面とを含み、
前記第２ケースの内側で、前記第２長側面中の一長側面と前記段差面との間の距離は、前記第２長側面中の他長側面と前記段差面との間の距離より短い請求項９〜１１のいずれか１項に記載のバッテリーパック。
【請求項１３】
前記複数の係合孔は、前記複数の係合突起と嵌合するように前記第２ケースの一長側面中の前記係合突起と相応する位置に形成される請求項１２に記載のバッテリーパック。
【請求項１４】
前記第２ケースの一長側面は、前記第１ケースの一長側面とガイド壁との間に形成される離隔空間に嵌挿する請求項９〜１３のいずれか１項に記載のバッテリーパック。
【請求項１５】
前記第２ケースは、
前記第２長側面中の他長側面と前記第２短側面に形成された複数の補助突起と、
前記補助突起を挟んで前記カバー面の内側で前記第２長側面中の他長側面と平行に延び、前記第２ケースの内部で前記バッテリーセルから前記回路モジュールを分離させるように、前記第１ケースの第１分離壁と対応して形成される第２分離壁と、
前記第２長側面中の他長側面に形成され、前記ケースで前記回路モジュールに装着されるコネクタが露出されるように、前記第１コネクタ露出溝と対応して形成された第２コネクタ露出溝とをさらに含む請求項９〜１３のいずれか１項に記載のバッテリーパック。
【請求項１６】
前記バッテリーセルは複数個の円筒形リチウムイオン電池である請求項１〜１５のいずれか１項に記載のバッテリーパック。
【発明の詳細な説明】
【技術分野】
【０００１】
本発明は、バッテリーパックに関し、特にケースの形成時に射出成形金型方式の適用が容易であり、ケースの結合力を高めることができるバッテリーパックに関する。
【背景技術】
【０００２】
一般に、ノート型パソコン、ＰＤＡ(Ｐｅｒｓｏｎａｌ Ｄｉｇｉｔａｌ Ａｓｓｉｓｔａｎｔｓ)およびビデオカメラなどのような携帯型外部電子機器に使用されるバッテリーパックは、バッテリーセルの容量の限界のために複数のバッテリーセルを合わせて製造している。
【０００３】
このようなバッテリーパックは、第１ケースと、前記第１ケースと結合する第２ケースと、前記第１ケースおよび第２ケースにより形成される空間に収納された複数のバッテリーセルと、前記バッテリーセルの一側に設けられ充放電を制御する保護回路基板と、からなっている。
【０００４】
もちろん、このようなバッテリーパックは、ノート型パソコン、ＰＤＡおよびビデオカメラなどの外部電子機器に装着することで、外部電子機器に所定の電源を供給する。
【発明の概要】
【発明が解決しようとする課題】
【０００５】
ところが、このような従来のバッテリーパックは、第１ケースと第２ケースが別途接着剤などによって結合されているため、外力によって簡単に変形し分離してしまうという問題があった。これにより、バッテリーパックの第１ケースと第２ケースを直接物理的に結合させるための新たな構造が要求されている。
【０００６】
しかし、このような新たな構造の第１ケースと第２ケースは、外部電子機器に装着可能な形態に考慮して製作しなければならないため、射出成形金型方式を適用するにおいて多くの制約が存在するという問題があった。
【０００７】
そこで、本発明は、上記問題に鑑みてなされたものであり、本発明の目的とするところは、ケースの形成時に射出成形金型方式の適用が容易であり、ケースの結合力を高めることが可能な、新規かつ改良されたバッテリーパックを提供することにある。
【課題を解決するための手段】
【０００８】
上記課題を解決するために、本発明のある観点によれば、複数のバッテリーセルと、前記バッテリーセルと電気的に接続される回路モジュールと、前記バッテリーセルと前記回路モジュールを収納するケースとを含み、前記ケースは、開口したボックス状に形成され複数の係合突起が形成された第１ケースと、開口したボックス状に形成され前記第１ケースと結合して前記複数の係合突起が嵌合するように複数の係合孔が形成された第２ケースと、を含むバッテリーパックが提供される。
【０００９】
前記複数の係合突起は前記第１ケースの一面に形成され、前記第１ケースは前記一面から前記係合突起の突出方向に離隔された領域に形成された構造物をさらに含むものでもよい。
【００１０】
前記構造物は前記複数のバッテリーセルをグループに分け、前記バッテリーセルの流動を防止する固定壁であってもよい。
【００１１】
前記第１ケースの一面と前記構造物との間の離隔距離は、前記第１ケースの一面から突出する係合突起の突出幅の３倍〜１０倍であるものであってもよい。
【００１２】
前記第１ケースの一面と前記構造物との間の離隔距離は、３ｍｍ〜１０ｍｍであってもよい。
【００１３】
前記複数の係合突起は前記第１ケースの一面にグループに分かれて形成され、隣接したグループは互いに離隔されるものであってもよい。
【００１４】
前記構造物は前記第１ケースの一面中の前記隣接したグループ間の離隔領域に対応するように位置するものであってもよい。
【００１５】
前記第１ケースは、前記複数の係合突起のグループのそれぞれと対応するガイド壁を有し、前記ガイド壁は、前記第１ケースの一面から前記係合突起の突出方向に延びたガイド延長面と、前記ガイド延長面から折り曲げられて延びたガイド側面と、前記ガイド側面中の前記係合突起と対応する領域に形成されたガイド溝と、を含むものであってもよい。
【００１６】
前記第１ケースは、配置面と、前記配置面における対向する長辺から折り曲げられて延びた第１長側面と、前記配置面における対向する短辺から折り曲げられて延び、前記第１長側面を繋ぐ第１短側面を含む第１側面とを含み、前記複数の係合突起は前記第１長側面中の一長側面にグループ別に分けられて形成されるものであってもよい。
【００１７】
前記第１ケースは、前記複数の係合突起のグループのそれぞれと対応するガイド壁と、前記バッテリーセルがグループ別に分けられるように前記配置面で前記第１短側面と平行に延びた構造物をさらに含み、前記ガイド壁は、前記一長側面から前記係合突起の突出方向に延びたガイド延長面と、前記ガイド延長面から折り曲げられて延びたガイド側面と、前記ガイド側面中の前記係合突起と対応する領域に形成されたガイド溝と、を含むものであってもよい。
【００１８】
前記第１ケースは、前記配置面の内側で前記第１長側面中の他長側面および前記第１短側面と平行に延びたリブ面と、前記リブ面に形成された複数の補助孔と、前記リブ面を挟んで前記配置面の内側で前記他長側面と平行に延び、前記第１ケースの内部で前記バッテリーセルから前記回路モジュールを分離させるように前記回路モジュールの装着空間を形成する第１分離壁と、前記他長側面に形成された第１コネクタ露出溝と、をさらに含むものであってもよい。
【００１９】
前記第２ケースは、一側に突出部を有し、前記配置面と対向し、メイン面と前記メイン面から折り曲げられて延びた段差面、および前記段差面から折り曲げられて前記メイン面と平行に延びたサブ面を含むカバー面と、前記カバー面における対向する長辺から折り曲げられて延びた第２長側面と、前記カバー面における対向する短辺から折り曲げられて延び、前記第２長側面を繋ぐ第２短側面を含む第２側面と、を含み、前記第２ケースの内側で前記第２長側面中の一長側面と前記段差面との間の距離は前記第２長側面中の他長側面と前記段差面との間の距離より短いものであってもよい。
【００２０】
前記複数の係合孔は、前記複数の係合突起と嵌合するように前記第２ケースの一長側面中の前記係合突起と相応する位置に形成されるものであってもよい。
【００２１】
前記第２ケースの一長側面は、前記第１ケースの一長側面とガイド壁との間に形成される離隔空間に嵌挿されるものであってもよい。
【００２２】
前記第２ケースは、前記第２長側面中の他長側面と前記第２短側面に形成された複数の補助突起と、前記補助突起を挟んで前記カバー面の内側で前記第２長側面中の他長側面と平行に延びて前記第２ケース内部で前記バッテリーセルから前記回路モジュールを分離させるように、前記第１ケースの第１分離壁と対応して形成される第２分離壁と、前記第２長側面中の他長側面に形成されて前記ケースで前記回路モジュールに装着されるコネクタが露出されるように、前記第１コネクタ露出溝と対応して形成された第２コネクタ露出溝と、をさらに含むものであってもよい。
【００２３】
前記バッテリーセルは例えば、複数個の円筒形リチウムイオン電池であってもよい。
【発明の効果】
【００２４】
以上説明したように本発明によれば、本発明の実施例に係るバッテリーパックは、第１ケースと第２ケースをロック(ｌｏｃｋｉｎｇ)構造で結合させることにより、別途の接着剤を使用して第１ケースと前記第２ケースを結合させる場合よりも第１ケースと第２ケースの結合力をさらに高めることができる。
【００２５】
したがって、本発明の実施例に係るバッテリーパックは外力によるケースの分離を効果的に防止することができる。さらに、本発明の実施例に係るバッテリーパックは別途の接着剤に対する材料コストおよび製造工程を低減することができる。 
【００２６】
なお、本発明の実施例に係るバッテリーパックは、ケースに形成された突出部により第２ケースに形成された段差面と近い距離に位置する第２ケースの一長側面に係合突起でない係合孔を形成することによって、第２ケースの射出成形時に金型の分離を容易にできる。
【００２７】
したがって、本発明の実施例に係るバッテリーパックはケースの形成時に射出成形金型方式の適用を容易にできる。
【図面の簡単な説明】
【００２８】
【図１】本発明の一実施形態に係るバッテリーパックの斜視図である。
【図２】図１に示されたバッテリーパックの分解斜視図である。
【図３】図１のＬ-Ｌ線に沿ったバッテリーパックの断面図である。
【図４】図１に示されたバッテリーパックのケースの斜視図である。
【図５】図４の'Ａ'部分を示す拡大斜視図である。
【図６】図４のＭ-Ｍ線に沿った第１ケースの断面図である。
【図７】図４のＮ-Ｎ線に沿った第２ケースの断面図である。
【発明を実施するための形態】
【００２９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３０】
図１は本発明の一実施例に係るバッテリーパックを示す斜視図であり、図２は図１に示されたバッテリーパックの分解斜視図であり、図３は図１のＬ-Ｌ線に沿ったバッテリーパックの断面図である。
【００３１】
一般に、二次電池は充電が不可能な一次電池と異なり、充電と放電が可能な電池であって、バッテリーパック４００のような形態で製作され、ノート型パソコンのような外部電子機器に装着されて電源として広く使用されている。図面に示されたバッテリーパック４００は一例であるだけで、この他も様々な形態のバッテリーパック４００が可能である。
【００３２】
図１および図２に示すように、本発明の一実施例に係るバッテリーパック４００は、複数のバッテリーセル１００と、バッテリーセル１００に電気的に接続された回路モジュール２００と、バッテリーセル１００と回路モジュール２００を収容するケース３００とを含んでなる。
【００３３】
前記バッテリーセル１００のそれぞれは、上面と底面が互いに異なる極性を有するように設計されるが、図面で膨らんでいる端子状の上面が正極を、扁平な底面が負極を示すことにする。
【００３４】
また、ここではバッテリーセル１００の上面はセル内の電極組立体(図示せず)の正極と、底面はセル内の電極組立体の負極と電気的に接続されると仮定する。 
【００３５】
このようなバッテリーセル１００としては、充放電が可能な円筒形二次電池(ｓｅｃｏｎｄａｒｙ ｂａｔｔｅｒｙ)が使用でき、特に作動電圧が３.６Ｖと高く、単位重量当たりのエネルギー密度の高い円筒形リチウムイオン二次電池が使用できる。
【００３６】
このようなバッテリーセル１００は図２では８個で示しているが、その個数を限定するものではない。図２で、複数のバッテリーセル１００は第１バッテリーセル〜第８バッテリーセル(１００ａ、１００ｂ、１００ｃ、１００ｄ、１００ｅ、１００ｆ、１００ｇ、１００ｈ)に区分した。  
【００３７】
図２でＢ−、Ｂ＋、は大電流段を表わし、直・並列に接続されたバッテリーセル１００の両端の電源部を示す。Ｂ−は負極電源部で最低電位段を、Ｂ＋は正極電源部で最高電位段を示す。この大電流段には電源を引き出すために第１導電性タブ１１１と第５導電性タブ１１５が接続される。 
【００３８】
また、Ｂ１、Ｂ２、Ｂ３はセンシング段を表わし、互いに異なる極性のバッテリーセルが直列接続された部分を示す。このセンシング段は最高電位段と最低電位段との間の中間電位段を示す。このセンシング段には電圧検出のために第２導電性タブ〜第４導電性タブ(１１２、１１３、１１４)が接続される。
【００３９】
前記の構成を詳しく説明すると、第１導電性プレート１２１はバッテリーセル１００の下側端に位置する二つのバッテリーセルの負極、すなわち最低電位段に接続される。
【００４０】
第２〜第４導電性プレート(１２２、１２３、１２４)は折り曲げ部を有し、前記折り曲げ部を基準として一側はバッテリーセル１００中の二つのバッテリーセルの上面に接触固定され、他側はバッテリーセル１００中の他の二つのバッテリーセルの底面に接触固定されて、バッテリーセル１００中の四つのバッテリーセルを直列および並列に接続させる。
【００４１】
第５導電性プレート１２５はバッテリーセル１００の上側端に位置する二つのバッテリーセルの正極、すなわち最高電位段に接続される。このような導電性プレート(１２１、１２２、１２３、１２４、１２５)はニッケル(Ｎｉ)、銅(Ｃｕ)、アルミニウム(Ａｌ)およびその等価物中から選択されるいずれか一つが用いられるが、本発明でその材質を限定するものではない。そして、導電性プレートはバッテリーセルの個数の増加と共に当然増加する。 
【００４２】
前記回路モジュール２００は第１〜第５導電性タブ(１１１、１１２、１１３、１１４、１１５)に接続された第１〜第５導電性プレート(１２１、１２２、１２３、１２４、１２５)によりバッテリーセル１００と電気的に接続され、後に説明するコネクタ２５０により外部電子機器と接続され、内部に形成された回路(図示せず)により電池の充放電を制御することによって過充放電を防止する。
【００４３】
ここで、第１〜第５導電性タブ(１１１、１１２、１１３、１１４、１１５)はニッケル材で形成でき、被覆された導電性ワイヤー(ｃｏｎｄｕｃｔｉｖｅ ｗｉｒｅ)で代替することもできる。
【００４４】
ここで、回路モジュール２００とバッテリーセル１００を電気的に接続する方式は、使用されるバッテリーセルおよび回路モジュールの形状および形式により様々に用いられ、ここで接続方式を限定するものではない。
【００４５】
一方、回路モジュール２００は一面に略四角六面体状に形成されたコネクタ２５０を含む。このようなコネクタ２５０は外部電子機器と電気的に接続および分離可能なように複数の孔を有する体部と、体部中の孔の内側およびその後方に一定の長さで延びた複数の導電性リードとからなる。
【００４６】
もちろん、体部は絶縁性樹脂などで形成され、導電性リードが相互電気的にショートされないようになっている。
【００４７】
前記ケース３００は、前記バッテリーセル１００と回路モジュール２００を収容し、前記バッテリーセル１００と回路モジュール２００が配置される第１ケース３２０と、第１ケース３２０に被せる第２ケース３４０とを含んでなる。
【００４８】
このようなケース３００は、前記バッテリーパック４００がノート型パソコンのように外部電子機器に装着される時に外部電子機器の形状に対応する形状に形成される。   
【００４９】
前記第１ケース３２０は、バッテリーセル１００が収容されるように上端面が開口したボックス状に形成され、一側に回路モジュール２００とコネクタ２５０が収容されるように形成された回路モジュール装着空間(Ｓｃ)を含むことができる。  
【００５０】
前記第２ケース３４０は前記第１ケース３２０の上端部に相応するサイズで形成される。すなわち、前記第２ケース３４０は開口したボックス状に形成される。
【００５１】
このような第１ケース３２０と第２ケース３４０は、図３に示すように、第１ケース３２０の一面に形成された係合突起３２３と第２ケース３４０の一面に形成された係合孔３４３が嵌合し、第１ケース３２０の一面を除いた他面と平行したリブ面３２５に形成された補助孔３２６と第２ケース３４０の一面を除いた他面に形成された補助突起３４４が嵌合することによって、ロック(ｌｏｃｋｉｎｇ)構造で結合される。 
【００５２】
前記のようにバッテリーパック４００は、ケース３００がバッテリーセル１００と回路モジュール２００を収容してなる。このようなバッテリーパック４００はノート型パソコンのような外部電子機器に装着されて使用される。
【００５３】
一方、前記ケース３００は、前記バッテリーパック４００が装着されるノート型パソコンのような外部電子機器の形状によって一側に突出した構造を持ち、外部電子機器の形状によってケース３００の他部位が突出した構造を成したりあるいは他形状に形成され、突出しない形状に形成できることはもちろんである。
【００５４】
本発明の実施例では、前記ケース３００は前記第２ケース３４０の一側に突出部３４０ａが形成される形状を有するものと仮定する。 
【００５５】
次は、係合突起３２３と係合孔３４３が嵌合することによって、第１ケース３２０と第２ケース３４０がロック構造で結合されてなるケース３００について詳しく説明する。
【００５６】
図４は図１に示されたバッテリーパックのケースを示す斜視図であり、図５は図４の'Ａ'部分を示す拡大斜視図であり、図６は図４のＭ-Ｍ線に沿った第１ケースを示す断面図であり、図７は図４のＮ-Ｎ線に沿った第２ケースを示す断面図である。
【００５７】
図４および図５に示すように、第１ケース３２０は、配置面３２１、第１側面３２２、複数の係合突起３２３、ガイド壁３２４、リブ面３２５、複数の補助孔３２６、第１分離壁３２７、第１コネクタ露出溝３２８、および構造物３２９を含んでなる。
【００５８】
前記配置面３２１は、複数のバッテリーセル１００および回路モジュール２００が配置される面であり、この配置面３２１は平面、曲面または段差面を有する形態で形成される。
【００５９】
前記第１側面３２２は、複数のバッテリーセル１００および回路モジュール２００を取り囲むように配置面３２１の縁部から折り曲げられて延びる面である。
【００６０】
この第１側面３２２は、前記配置面３２１における対向する長辺から折り曲げられて延びる第１長側面３２２ａ、３２２ｂと、前記配置面３２１における対向する短辺から折り曲げられて延び、前記第１長側面３２２ａ、３２２ｂを繋ぐ第１短側面３２２ｃ、３２２ｄとを含んでなる。  
【００６１】
前記複数の係合突起３２３は前記第１長側面３２２中の一長側面３２２ａの内側から突出して形成される。このように突出した形態で形成される係合突起３２３は、前記第１ケース３２０と前記第２ケース３４０の結合時に第２ケース３４０の係合孔３４３に嵌合する。
【００６２】
このような複数の係合突起３２３は前記一長側面３２２ａに２個または３個からなるグループ(Ｇ)に分けられて位置することができ、隣接したグループ(Ｇ)は互いに所定間隔で離隔されて位置する。
【００６３】
ここで、係合突起３２３の個数および形状は第１ケース３２０の大きさおよびデザインによりかわることは言うまでもない。 
【００６４】
前記ガイド壁３２４は、前記複数の係合突起３２３のグループ(Ｇ)のそれぞれと対応して形成され、前記一長側面３２２ａとの間に離隔空間(Ｓ１)を形成する。このガイド壁３２４は、前記第２ケース３４０の係合孔３４３が形成された一長側面３４２ａが前記離隔空間(Ｓ１)に嵌め込まれるようにガイドする役割をする。
【００６５】
具体的に、前記ガイド壁３２４は、図５に示すように、前記一長側面３２２ａから前記係合突起３２３の突出方向に延びたガイド延長面３２４ａと、前記ガイド延長面３２４ａから折り曲げられて延びたガイド側面３２４ｂと、前記ガイド側面３２４ｂ中の前記係合突起３２３と対応する領域に形成されたガイド溝３２４ｃと、を含んでなる。
【００６６】
前記ガイド延長面３２４ａと前記ガイド側面３２４ｂは、実質上、前記離隔空間(Ｓ１)を形成し、前記ガイド溝３２４ｃは第１ケース３２０の係合突起３２３と第２ケース３４０の係合孔３４３の円滑な嵌合のための空間を確保する役割をする。 
【００６７】
前記リブ面３２５は、前記配置面３２１の内側で前記第１長側面３２２ａ、３２２ｂ中の他長側面３２２ｂと前記第１短側面３２２ｃ、３２２ｄと平行に延びて形成される。前記他長側面３２２ｂおよび第１短側面３２２ｃ、３２２ｄのそれぞれと前記リブ面３２５の間には離隔空間(Ｓ２)が形成される。
【００６８】
この離隔空間(Ｓ２)は、第１ケース３２０と第２ケース３４０の結合時に第２ケース３４０の他長側面３４２ｂおよび第２短側面３４２ｃ、３４２ｄが嵌挿される空間となる。
【００６９】
前記複数の補助孔３２６は前記リブ面３２５に形成される。この補助孔３２６は前記第１ケース３２０と前記第２ケース３４０の結合時に第２ケース３４０の補助突起３４４と嵌合し、前記第１ケース３２０と前記第２ケース３４０の結合力を高める補助的役割をする。
【００７０】
前記第１分離壁３２７は、前記リブ面３２５を挟んで前記配置面３２１の内側で前記他長側面３２２ｂと平行に延び、前記第１ケース３２０の内部で前記バッテリーセル１００から前記回路モジュール２００を分離させるように前記回路モジュール２００の装着空間(Ｓｃ)を形成する役割をする。 
【００７１】
前記第１コネクタ露出溝３２８は、前記回路モジュール２００に設けられたコネクタ２５０を露出させるように前記他長側面３２２ｂに形成される。
【００７２】
前記構造物３２９は、前記一長側面３２２ａから前記係合突起３２３の突出方向に離隔された領域に形成される。図６に示すように、前記一長側面３２２ａと前記構造物３２９との間の離隔距離(ｄ１)は前記係合突起３２３の突出幅(Ｗｐ)の３倍〜１０倍となることが好ましい。
【００７３】
通常、前記係合突起３２３の突出幅(Ｗｐ)は１ｍｍ以下で形成される。この場合、前記一長側面３２２ａと前記構造物３２９との間の離隔距離(ｄ１)は３ｍｍ〜１０ｍｍとなることが好ましい。これは、前記離隔距離(ｄ１)が３ｍｍ未満であると、前記第１ケース３２０の射出成形時に前記係合突起３２３が形成された部分から金型を前記係合突起３２３の突出方向に水平移動して分離させることが容易ではないためである。
【００７４】
また、前記離隔距離(ｄ１)が１０ｍｍを超えると、構造物３２９が所望の形成位置から外れすぎるため、デザイン設計上の問題が生じる。
【００７５】
ここで前記構造物３２９は、前記一長側面３２２ａ中の隣接した複数の係合突起グループ(Ｇ)の間の離隔領域に対応するように位置することができ、例えば、前記複数のバッテリーセル１００をグループに分け、バッテリーセル１００の流動を防止する固定壁である。
【００７６】
前記構造物３２９は、前記一長側面３２２ａから前記係合突起３２３の突出方向に離隔された領域に形成された構造物であれば何でも構わないため、本発明の実施例で前記構造物３２９をある特定構造物として限定しない。
【００７７】
前記のような第１ケース３２０は、絶縁性を有する樹脂で形成でき、配置面３２１、第１側面３２２、複数の係合突起３２３、ガイド壁３２４、リブ面３２５、複数の補助孔３２６、第１分離壁３２７、第１コネクタ露出溝３２８、および構造物３２９が一体に射出成形されてなる。
【００７８】
前記第２ケース３４０は、カバー面３４１、第２側面３４２、複数の係合孔３４３、補助突起３４４、第２分離壁３４５、および第２コネクタ露出溝３４６を含んでなる。
【００７９】
前記カバー面３４１は、前記第１ケース３２０と第２ケース３４０の結合時に第１ケース３２０の配置面３２１と対向する面であり、平面、曲面または段差面を有する形態で形成することができる。
【００８０】
このようなカバー面３４１は、バッテリーセル１００から発生する熱を放出させることができるように孔(図示せず)を有する。ここで、前記カバー面３４１には突出部３４０ａが形成される。
【００８１】
これにより、前記カバー面３４１はメイン面３４１ａと、前記メイン面３４１ａから折り曲げられて延びた段差面３４１ｂと、前記段差面３４１ｂから折り曲げられ前記メイン面３４１ａと平行に延びたサブ面３４１ｃとからなる。 
【００８２】
前記第２側面３４２は、複数のバッテリーセル１００および回路モジュール２００を取り囲むように前記カバー面３４１の縁部から折り曲げられて延びる面である。
【００８３】
このような第２側面３４２は前記カバー面３４１における対向する長辺から折り曲げられて延びる第２長側面３４２ａ、３４２ｂと、前記カバー面３４１における対向する短辺から折り曲げられて延び、前記第２長側面３４２ａ、３４２ｂを繋ぐ第２短側面３４２ｃ、３４２ｄとを含んでなる。
【００８４】
図７に示すように、前記第２長側面３４２ａ、３４２ｂ中の一長側面３４２ａと前記段差面３４１ｂとの間の距離(ｄ２)は、他長側面３４２ｂと前記段差面３４１ｂとの間の距離(ｄ３)より短い。
【００８５】
ここで、前記一長側面３４２ａと他長側面３４２ｂは段差形態を有し、段差部分が前記第１ケース３２０と前記第２ケース３４０の結合時に、前記第１ケース３２０の前記一長側面３２２ａと前記ガイド壁３２４との間に形成された離隔空間(Ｓ１)に嵌挿される。
【００８６】
前記複数の係合孔３４３は前記一長側面３４２ａに形成される。ここで、前記一長側面３４２ａに係合突起でない前記複数の係合孔３４３が形成される理由は、前記一長側面３４２ａが前記カバー面３４１に形成された突出部３４０ａにより形成された段差面３４１ｂと近い距離に位置するためである。
【００８７】
言い換えれば、前記一長側面３４２ａに係合突起が形成されると、前記第２ケース３４０の射出成形時に係合突起が形成された部分から金型を係合突起の突出方向(即ち、段差面３４１方向)に水平移動して分離させなければならないが、前記一長側面３４２ａと段差面３４１ｂとの間の距離が近いことから、金型を水平移動させるに必要な距離が十分に確保されないためである。
【００８８】
前記係合孔３４３は、上述した通り、第１ケース３２０の係合突起３２３と嵌合することによって、第１ケース３２０と第２ケース３４０が結合される。
【００８９】
ここで、係合孔３４３の数は第１ケース３２０の係合突起３２３の数に対応し、係合孔３４３は係合突起３２３と嵌合するように前記一長側面３４２ａ中の第１ケース３２０の係合突起３２３に相応する位置に形成される。 
【００９０】
前記複数の補助突起３４４は前記第２長側面３４２ａ、３４２ｂ 中の 他長側面３４２ｂ、および第２短側面３４２ｃ、３４２ｄ
に形成される。
【００９１】
ここで、前記他長側面３４２ｂに補助突起３４４が形成される理由は、前記他長側面３４２ｂが前記カバー面３４１に形成された突出部３４０ａにより形成された段差面３４１ｂと遠い距離に位置するためである。
【００９２】
言い換えれば、前記第２ケース３４０の射出成形時に補助突起３４４が形成された部分から金型を補助突起の突出方向(即ち、段差面３４１方向)に水平移動して分離させるに必要な距離を確保できるためである。前記補助突起３４４は、上述した通り、前記補助孔３２６と嵌合し前記第１ケース３２０と前記第２ケース３４０の結合力を高める補助的な役割をする。
【００９３】
前記第２分離壁３４５は、前記補助突起３４４を挟んで前記カバー面３４１の内側で前記他長側面３４２ｂと平行に延び、前記第２ケース３４０の内部で前記バッテリーセル１００から前記回路モジュール２００を分離させるように、前記第１ケース３２０の第１分離壁３２７と対応して形成される。
【００９４】
前記第２コネクタ露出溝３４６は、前記他長側面３４２ｂに形成され、前記回路モジュール２００に設けられたコネクタ２５０が露出されるように前記第１コネクタ露出溝３２８と対応して形成される。 
【００９５】
前記のような第２ケース３４０は、絶縁性を有する樹脂で形成でき、カバー面３４１、第２側面３４２、複数の係合孔３４３、複数の補助突起３４４、第２分離壁３４５、および第２コネクタ露出溝３４６が一体に射出成形されてなる。
【００９６】
上述した通り、本発明の一実施例に係るバッテリーパック４００は、第１ケース３２０の係合突起３２３と第２ケース３４０の係合孔３４３を嵌合し、第１ケース３２０の補助孔３２６と第２ケース３４０の補助突起３４４を嵌合することにより、第１ケース３２０と第２ケース３４０をロック構造で結合させる。
【００９７】
これにより、本発明の一実施例に係るバッテリーパック４００は、別途の接着剤を使用して第１ケースと前記第２ケースを結合させる場合よりも、前記第１ケース３２０と前記第２ケース３４０の結合力をさらに高めることができる。
【００９８】
したがって、本発明の一実施例に係るバッテリーパック４００は外力によるケース３００の分離を効果的に防止することができる。さらに、本発明の一実施例に係るバッテリーパック４００は別途の接着剤に対する材料コストおよび製造工程を低減することができる。 
【００９９】
なお、本発明の実施例に係るバッテリーパック４００は、ケースに形成された突出部３００ａにより第２ケース３４０に形成された段差面３４１ｂと近い距離に位置する第２ケース３４０の一長側面３４２ａに係合突起でない係合孔３４３を形成することによって、第２ケース３４０の射出成形時に金型の分離を容易にできる。
【０１００】
したがって、本発明の実施例に係るバッテリーパック４００はケース３００の形成時に射出成形金型方式の適用を容易にできる。  
【０１０１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０２】
１００        バッテリーセル
２００        回路モジュール
３００        ケース
３２０        第１ケース
３２３        係合突起
３４０        第２ケース
３４３        係合孔
４００        バッテリーパック
【図１】
2010073691.tif 000003
【図２】
2010073691.tif 000004
【図３】
2010073691.tif 000005
【図４】
2010073691.tif 000006
【図５】
2010073691.tif 000007
【図６】
2010073691.tif 000008
【図７】
2010073691.tif 000009